(57)【要約】【課題】ヒートアイランド対策を目的とする湿潤性舗装システムにおいて、傾斜や起伏のある舗装面においても、温度上昇抑制に有効な湿潤状態を舗装面全体に一様に得ることができようにして、ヒートアイランド対策効果を高める。【解決手段】被舗装基盤１０に形成された配管溝１２内に給水導管２０を敷設し、この給水導管２０から分布状に給水された水を導水シート２１，２２で面方向に拡散させることにより、舗装３０表面を湿潤状態に保つようにした湿潤性舗装システムにおいて、上記配管溝１２にその配管溝１２内での水の流れを堰き止める堰き止め部２４を分散配設する。【選択図】  図１
2005351027.tif 000002
【特許請求の範囲】
【請求項１】
被舗装基盤に形成された配管溝内に給水導管を敷設し、この給水導管から分布状に給水された水を導水シートで面方向に拡散させることにより、舗装表面を湿潤状態に保つようにした湿潤性舗装システムにおいて、上記配管溝にその配管溝内での水の流れを堰き止める堰き止め部を分散配設して配管溝の導水連続長を分割したことを特徴とする湿潤性舗装システム。
【請求項２】
前記堰き止め部は、配管溝内にて給水導管の下側と上側から嵌合嵌着する一対の介装部材を用いて構成されていることを特徴とする請求項１に記載の湿潤性舗装システム。
【請求項３】
前記堰き止め部は、モルタルや樹脂等の可塑性充填材を用いて構成されていることを特徴とする請求項１または２に記載の湿潤性舗装システム。
【請求項４】
前記堰き止め部は、給水導管の下に回り込んで配管溝の縁辺面部に達する導水シートと、この導水シートと配管溝内面との間に充填された可塑性充填材により構成されていることを特徴とする請求項１〜３のいずれかに記載の湿潤性舗装システム。
【請求項５】
前記の給水導管の下部に回り込んで上記配管溝の縁辺面部に達する第１の導水シートを上記配管溝に沿う部分に限定的に敷設するとともに、この第１の導水シートの上から前記被舗装基盤の表面を全面的に覆う第２の導水シートを敷設し、この第２の導水シートの上に水性舗装が施工され、前記堰き止め部は上記第２の導水シートの下に形成されていることを特徴とする請求項１〜４のいずれかに記載の湿潤性舗装システム。
【請求項６】
前記第１の導水シートと前記第２の導水シートの間に、前記配管溝の上方に架橋状態で被さる架橋部材を、その配管溝に沿って配設したことを特徴とする請求項５に記載の湿潤性舗装システム。
【発明の詳細な説明】
【技術分野】
【０００１】
この発明は、ヒートアイランド対策のために舗装表面を湿潤状態に保つ機能を備えた湿潤性舗装システムに関する。
【背景技術】
【０００２】
近年、ヒートアイランド対策の一環として湿潤性舗装が行われるようになってきた。この湿潤性舗装は、たとえば、歩道や遊歩道、広場や運動場、駐車場や集荷場などの舗装に適用され、その舗装面を湿潤化することにより、一種の打ち水効果により、その舗装面の温度上昇を抑制するというものである。
【０００３】
この種の湿潤性舗装としては、たとえば特許文献１に記載のように、透水性舗装の下に給水導管と導水シートを埋設し、給水導管で供給した水を導水シートで面方向に浸透拡散させることにより、舗装面全体を湿潤状態に保つようにしたものがある。
【０００４】
図５は従来の湿潤性舗装システムを示す。この湿潤性舗装システムは、同図の（ａ）に示すように、地盤等の被舗装基盤１０に配管溝１２を形成するとともに、この配管溝１２が形成された被舗装基盤１０の表面を導水シート２２’で全面的に覆った後、給水導管２０を上記導水シート２２の上から、その導水シート２２’を引き込みながら上記配管溝１２に押し込んで収容する。そして、同図の（ｂ）に示すように、その上に透水性舗装３０を施工した構成となっている。
【０００５】
導水シート２２’の上には透水性舗装３０が施工される。この透水性舗装３０は、たとえば下地層をなす砂層３１と上部層をなす舗装材３２により形成される。舗装材３２は透水性のアスファルト舗装あるいは透水性のブロックなどにより形成される。
【０００６】
導水シート２２’は、たとえば織布あるいは不織布などの繊維構造、あるいは微細孔組織を有する可撓性シートであって、その一部が上記給水導管２０の下に回り込んだ状態で敷設されることにより、その給水導管２０から少量ずつ定量に供給された水を毛細管現象で面状に拡散させる。これにより、透水性舗装３０の表面を湿潤状態に保つことができる。
【０００７】
なお、従来のこの種の湿潤性舗装システムについては、たとえば特許文献１などに同様のものが開示されている。
【特許文献１】特開２００１−８１７０９
【発明の開示】
【発明が解決しようとする課題】
【０００８】
上述した従来の技術は、次のような問題点のあることが判明した。  
すなわち、ヒートアイランド対策を効果的に行うためには、できるだけ広い範囲にわたって温度上昇を一様に抑制することが望ましく、そのためには、局所的に偏らず、舗装面全体を一様に湿潤化する必要がある。舗装面での湿潤状態に場所的な偏りがあると、水供給が不足して打ち水効果による温度上昇抑制の効果が十分に得られない領域と、必要以上の水が無駄に供給されてしまう領域とが生じる。
【０００９】
一方、地盤等の被舗装基盤およびその上に施工される舗装は必ずしも平坦とは限らず、緩やかな傾斜あるいは起伏を有する場合もある。このような傾斜や起伏は、たとえば水捌けを良くするなどの目的で意図的に設けられる場合もある。
【００１０】
上記のような傾斜や起伏があると、給水導管２０から分布給水された水が導水シートにより面状に拡散される前に配管溝１２内で高位置部分から低位置部分に流れてしまって、その配管溝１２内での水の溜まり具合に、場所による大きな差が生じる。このため、その配管溝１２から導水シート２２’に吸水される水の量が場所によって大きく異なり、水供給が不足する領域と、無駄な余剰水が生じる領域とが生じる。この結果、舗装面での温度上昇抑制効果にも大きなバラツキが生じて、有効なヒートアイランド対策を行うことができないという問題が生じる。
【００１１】
この発明は以上のような問題を鑑みてなされたもので、その目的とするところは、傾斜や起伏のある舗装面においても、温度上昇抑制に有効な湿潤状態を舗装面全体に一様に得ることができるようにし、これにより、ヒートアイランド対策効果を高めた湿潤性舗装システムを提供することにある。
【課題を解決するための手段】
【００１２】
本発明による解決手段は、次の（１）のとおりでする。  
（１）被舗装基盤に形成された配管溝内に給水導管を敷設し、この給水導管から分布状に給水された水を導水シートで面方向に拡散させることにより、舗装表面を湿潤状態に保つようにした湿潤性舗装システムにおいて、上記配管溝にその配管溝内での水の流れを堰き止める堰き止め部を分散配設して配管溝の導水連続長を分割したことを特徴とする湿潤性舗装システム。
【００１３】
上記手段（１）においては、さらに次のような手段を備えることがとくに有効または望ましい。  
（２）上記手段（１）において、前記堰き止め部は、配管溝内にて給水導管の下側と上側から嵌合嵌着する一対の介装部材を用いて構成されている。  
（３）上記手段（１）または（２）において、前記堰き止め部は、モルタルや樹脂等の可塑性充填材を用いて構成されている。  
（４）上記手段（１）〜（３）のいずれかにおいて、前記堰き止め部は、給水導管の下に回り込んで配管溝の縁辺面部に達する導水シートと、この導水シートと配管溝内面との間に充填された可塑性充填材により構成されている。
【００１４】
（５）上記手段（１）〜（４）のいずれかにおいて、前記の給水導管の下部に回り込んで上記配管溝の縁辺面部に達する第１の導水シートを上記配管溝に沿う部分に限定的に敷設するとともに、この第１の導水シートの上から前記被舗装基盤の表面を全面的に覆う第２の導水シートを敷設し、この第２の導水シートの上に水性舗装が施工され、前記堰き止め部は上記第２の導水シートの下に形成されている。  
（６）上記手段（５）において、前記第１の導水シートと前記第２の導水シートの間に、前記配管溝の上方に架橋状態で被さる架橋部材を、その配管溝に沿って配設する。
【発明の効果】
【００１５】
ヒートアイランド対策を目的とする湿潤性舗装システムにおいて、傾斜や起伏のある舗装面においても、温度上昇抑制に有効な湿潤状態を舗装面全体に一様に得ることができ、これにより、ヒートアイランド対策効果を高めることができる。
【発明を実施するための最良の形態】
【００１６】
図１は、本発明による湿潤性舗装システムの第１実施形態をその要部に着目して示す。同図に示す湿潤性舗装システムは、たとえば、歩道や遊歩道、広場や運動場、駐車場や集荷場などの舗装に適用され、その舗装面を湿潤化することにより、その舗装面の温度上昇を抑制するというものであって、その主要部は、配管溝１２、給水導管２０、第１，第２の２種類の導水シート２１，２２を用いて構成される。
【００１７】
同図の（ａ）に示すように、地盤等の被舗装基盤１０に配管溝１２が形成され、この配管溝１２内に給水導管２０が配設されている。この給水導管２０の下部には第１の導水シート２１が回り込んでいる。給水導管２０は、導管２０内に送水された水をこの導管２０の外に時間をかけて少量ずつ定量に分布給水するように構成されている。このため、給水導管２０は、たとえば、水滴がにじみ出る程度の細孔が分布状に多数設けられている。
【００１８】
第１の導水シート２１は毛管導水作用を持つもの、たとえば織布あるいは不織布などの繊維構造、あるいは連続微細孔組織を有する可撓性シートであって、配管溝１２の内側面およびその周囲だけを限定的に覆うような幅サイズに形成され、その配管溝１２に沿う帯状部分だけに選択的に敷設される。この第１の導水シート２１が、上記給水導管２０の下部に回り込むとともに、その両幅端部が配管溝１２の両側縁辺面部に被さるように敷設されている。
【００１９】
第２の導水シート２２は、第１の導水シート２１と同様、毛管導水作用を持つもの、たとえば織布あるいは不織布などの繊維構造、あるいは微細孔組織を有する可撓性シートであって、上記第１の導水シート２１の上から上記被舗装基盤１０の表面を全面的に覆うように敷設されている。そして、同図の（ｂ）に示すように、第２の導水シート２２が敷設された上に透水性舗装３０が施工されている。
【００２０】
透水性舗装３０は、同図の（ｂ）に示すように、下地層である砂層３１と上部層をなす舗装材３２等により形成されている。舗装材３２は透水性のアスファルト舗装あるいは透水性のブロックなどを用いて形成されている。
【００２１】
以上までの構成により、給水導管２０から分布状に給水された水を導水シート２１，２２で面方向に拡散させて舗装表面を湿潤状態に保つようにした湿潤性舗装システムが構築されている。
【００２２】
しかし、同図の（ａ）に示すように、本発明ではさらに、上記構成に加えて、上記配管溝１２にその配管溝１２内での水の流れを堰き止める堰き止め部２４を適宜間隔で分散配設してある。
【００２３】
図２は、上記堰き止め部２４の実施形態を示す。同図において、（ａ）は堰き止め部２４の設置状態、（ｂ）はその堰き止め部２４を形成するための部材２４１，２４２をそれぞれ示す。
【００２４】
同図に示すように、上記堰き止め部２４は、配管溝１２内にて給水導管２０の下側と上側から嵌合嵌着する一対の介装部材２４１，２４２を用いて構成することができる。介装部材２４１，２４２は、たとえば、ゴムや樹脂等の弾力性材あるいはそれらを独立気泡発泡させたものを用いて構成すると良い。
【００２５】
上記のような堰き止め部２４が配管溝１２に分散配設されることにより、その配管溝１２はその堰き止め部２４で仕切られた複数の導水区画に分割される。つまり、配管溝１２の導水連続長が分割される。各導水区画はそれぞれ、上記堰き止め部２４により互いに独立した貯水部（水溜部）を形成する。
【００２６】
したがって、給水導管２０から少量ずつ定量に分布給水された水は、上記堰き止め部２４で仕切られて導水区画内に貯水される。各導水区画はそれぞれ、上記給水導管２０からの分布給水により、単位長さ当たりでほぼ同量の給水を受けるとともに、その給水が他の区画に移動することなく、各区画にそれぞれに貯留される。これにより、傾斜や起伏のある舗装面においても、局所的に水供給が不足したりすることなく、また、無駄な余剰水が生じたりすることがなく、温度上昇抑制に有効な湿潤状態を舗装面全体に一様に得ることができる。
【００２７】
上記堰き止め部２４は、給水導管２０から配管溝１２に給水された水が導水シート２１，２２に給水されるのでの間、その配管溝１２内に貯留させることができればよい。つまり、堰き止め部２４は、必ずしも配管溝１２を完全に堰き止めるものでなくてもよく、その配管溝１２に給水された水をある時間以上貯留させられるだけの堰き止め機能が得られるものであればよい。
【００２８】
図１および図２に示した実施形態では、給水導管２０の下部に回り込んで上記配管溝１２の縁辺面部に達する第１の導水シート２１を、上記配管溝１２に沿う部分に限定的（選択的）に敷設するとともに、上記第１の導水シート２１の上から上記被舗装基盤１０表面を全面的に覆う第２の導水シート２２を敷設し、この第２の導水シート２２の上に砂層３１を含む透水性舗装３０を施工してあるが、これにより、次のような効果が得られる。
【００２９】
すなわち、第１の導水シート２１は配管溝１２に沿う部分だけに限定的（選択的）に敷設されているので、給水配管２０を第１の導水シート２１の上から配管溝１２内に収容させる際に、その第１の導水シート２１の中央幅部分を配管溝１２内に比較的容易に引き込んで給水配管２０と共に収容させることができる。第２の導水シート２２は、第１の導水シート２１の上から平らに敷くだけでよい。これにより、給水導管２０と導水シート２１，２２の施工を高効率かつ確実に行うことができる。
【００３０】
上記のようにして敷設された第２の導水シート２２は、砂層３１と給水導管２０の間に介在することにより、砂層３１が配管溝１２に落ち込んで流失するのを抑えることができる。また、上記給水導管２０が砂層３１の砂によって目詰まりしたりあるいは給水導管２０の細孔に植物の根が進入したりするのも防止することができる。
【００３１】
図３の（ａ）および（ｂ）はそれぞれ、本発明による湿潤性舗装システムの第２実施形態をその要部に着目して示す。上述した第１実施形態との相違に着目すると、この第２実施形態においては、上記堰き止め部２４が、モルタルや樹脂等の可塑性充填材２４３を用いて構成されている。これにより、配管溝１２を隙間無く密に区切って水を確実に堰き止める堰き止め部２４を簡単に形成することができる。
【００３２】
さらに、図示の実施形態では、給水導管２０の下に回り込んで配管溝１２の縁辺面部に達する第１の導水シート２１が配設されているが、この第１の導水シート２１と配管溝１２内面との間に上記可塑性充填材２４３が充填されている。これにより、可塑性充填材２４３を導水シート２１で囲んだ堰き止め部２４が形成されているが、このように形成された堰き止め部２４は、充填材２４３が導水シート２１で係止固定されることにより、長期にわたって安定な堰き止め効果を得ることができる。
【００３３】
この場合、可塑性充填材２４３は、同図の（ａ）に示すように、配管溝１２の片側に集中的に充填する構成でもよいが、同図の（ｂ）に示すように、給水導管２０を配管溝１２の中央に位置決めさせるように充填すれば、給水導管２０を配管溝１２の中央に安定に位置決めさせることができるとともに、配管溝１２からの導水拡散をその配管溝１２の両側にバランス良く水を行わせることができる。
【００３４】
上記堰き止め部２４の施工をさらに容易にするためには、同図に示すように、配管溝１２を給水導管２０の外径よりも十分に広幅に形成すると良い。この場合、その配管溝１２の広幅は、上記堰き止め部２４の配設個所だけに選択的に形成してもよいが、上記配管溝１２の全体（全長）を幅広に形成すれば、その配管溝１２が余剰水を長時間貯留できるようになって、配管溝１２内に給水された水の利用効率をさらに高めることができる。
【００３５】
図４の（ａ）および（ｂ）はそれぞれ、本発明のさらに好ましい実施形態をその要部に着目して示す。上述した本発明の実施形態は、次のような構成とともに実施することが好ましい。すなわち、同図の（ａ）または（ｂ）に示すように、配管溝１２の上方に架橋状態で被さる架橋部材２６を、その配管溝１２に沿って配設する。
【００３６】
この場合、板状部材２６は、同図の（ａ）に示すように、第１の導水シート２１と第２の導水シート２２の間に設けるとよい。また、同図の（ｂ）に示すように、第２の導水シート２２の上に設けてもよい。
【００３７】
これにより、砂層３１が配管溝１２に沿って局所的に流失するのを一層効果的に抑えることができるとともに、配管溝１２の上方に局部的な陥没あるいは局部的な構造的弱点が生じるのを確実に防止することができる。この実施形態は、たとえば、配管溝１２を広幅に形成する前記第２の実施形態と併用してとくに有効である。
【００３８】
上記架橋部材２６としては、その直下の第１の導水シート２１内での導水を妨げないものが望ましく、たとえば、格子状またはメッシュの金属部材あるいは樹脂部材などを使用できる。また、連続気孔を有する多孔性（透水性）の板部材も好適に使用できる。
【００３９】
以上、本発明をその代表的な実施形態に基づいて説明したが、本発明は上述した以外にも種々の態様が可能である。たとえば、本発明は、地盤上に施工される湿潤性舗装に限らず、たとえばビル等の屋内、屋上、高架道路、人工地盤等に施工される湿潤性舗装、および、同様の給水構造を持つ緑化基盤、砂入り人工芝などの透水性舗装にも適用可能である。
【産業上の利用可能性】
【００４０】
ヒートアイランド対策を目的とする湿潤性舗装システムにおいて、傾斜や起伏のある舗装面においても、温度上昇抑制に有効な湿潤状態を舗装面全体に一様に得ることができ、これにより、ヒートアイランド対策効果を高めることができる。
【図面の簡単な説明】
【００４１】
【図１】本発明による湿潤性舗装システムの第１実施形態をその要部に着目して示す省略斜視図である。
【図２】本発明の要部を構成する堰き止め部の実施形態を示す断面図および斜視図である。
【図３】本発明による湿潤性舗装システムの第２実施形態をその要部に着目して示す断面図である。
【図４】本発明のさらに好ましい実施形態をその要部に着目して示す断面図である。
【図５】従来の湿潤性舗装システムの要部を示す断面図である。
【符号の説明】
【００４２】
１０  被舗装基盤（地盤等）
１２  配管溝
２０  給水導管
２１  第１の導水シート
２２  第２の導水シート
２２’  導水シート（従来）
２４  堰き止め部
２４１，２４２  介装部材
２４３  充填材
２６  架橋部材
３０  透水性舗装
３１  砂層
３２  上部舗装材（アスファルト舗装やブロック等）
【図１】
2005351027.tif 000003
【図２】
2005351027.tif 000004
【図３】
2005351027.tif 000005
【図４】
2005351027.tif 000006
【図５】
2005351027.tif 000007